(57)【要約】【課題】 不特定多数のユーザに対して、複数のコンテンツデータのリアルタイムな表示や、情報内容の変更を随時行うことができるようにすると共に、表示装置の設置場所から離れた場所にいても表示操作を行うことができるようにする。【解決手段】 サーバ２と各支店４ａ、４ｂ…４ｎが広域網３で接続され、サーバ２が送信したデータがＡ支店４ａから順次各支店に配信され、配信結果が最後のＮ支店４ｎからサーバ２に戻る。入力装置１が作成したデータは、Ｂ１チャネルでサーバ２からＡ支店４ａに配信され、Ａ支店４ａの表示部に表示される。Ａ支店４ａがこのデータをＢ２チャネルで送信すると、Ｂ支店４ｂはこれをＢ１チャネルで受信して表示する。以下、最後のＮ支店４ｎまで配信されて表示されると、Ｎ支店４ｎはサーバ２へ配信終了データを送信して配信を終了させる。表示部にはパソコン機能が内蔵され、リモコンによって遠隔で表示操作が行われる。  【選択図】  図2
2008004119.tif 000002
【特許請求の範囲】
【請求項１】
サーバの配信したコンテンツデータがネットワークを介して複数の表示手段に配信され、前記複数の表示手段の各々が、受信したコンテンツデータを表示させる情報表示システムにおいて、
前記サーバが配信するコンテンツデータは、情報内容を記録した表示データと、該表示データの表示順序を決めたスケジュールデータとを有し、前記複数の表示手段は、それぞれ、前記スケジュールデータに従って前記表示データを表示させることを特徴とする情報表示システム。
【請求項２】
前記コンテンツデータの配信に際して、サーバから配信されたコンテンツデータが複数の表示手段の一つに配信され、次に該配信された表示手段の一つから他の表示手段に配信されるといったように順次直列的に配信されることを特徴とする請求項１に記載の情報表示システム。
【発明の詳細な説明】
【技術分野】
【０００１】
(発明の詳細な説明)
(発明の属する技術分野)本発明は、不特定多数の人に対して効果的に情報表示を行うことのできる情報表示システムと、このシステムに用いられる情報表示装置に関するものである。
(発明の開示)
【０００２】
(発明が解決しようとする課題)
(従来の技術)従来、銀行窓口や公共施設などには、不特定多数の人間を対象とした商品サービス情報や広告用ポスターなどが多数掲示されている。これらの掲示用の各種サービス情報や広告用ポスターなどは、紙などで簡易に作成して量産することができるため、情報提供者から不特定多数の人間に対して簡便に情報を提供することができる。また、金利情報など時間と共に変化する情報の表示方法としては、例えば、特許第２９０２５４１号などに、蛍光表示管を用いてリアルタイムに情報を表示する技術が開示されている。この技術は、蛍光表示管に項目表示部とデータ表示部とを設け、項目表示部とデータ表示部とによって表示色や輝度を変更したり、データ表示部の文字キャラクタを大きくしたりして、データ表示部の重要な情報を目立つように表示している。
【０００３】
さらに、リアルタイムでメディア情報を通信して表示させる技術としては、例えば、特開平１１−２３９１３４号公報などに分散型メディア伝送システムが開示されている。この技術によれば、遅延を生じさせる伝送のリトライ技術に依存せずに、高品質でリアルタイムにメディア選択物や音声及び映像などマルチメディアデータを通信して、これを表示させることができる。また、情報を表示させる情報表示装置は、外部に設けた汎用パソコンなどを用いて、キーボードやマウスからコマンドを入力して電源やＯＳを立ち上げて表示部に所望の情報を表示させている。
【０００４】
(発明が解決しようとする課題)しかしながら、前述のような掲示用の情報は、その内容が固定的であるため、情報内容を変更する場合には、再度、情報を紙などに印刷して作り直さなければならない。また、掲示用の情報は内容が固定化されているので、見る側に飽きがきたり、掲示できるスペースが限られている場合には、伝えたい情報の全てを伝えられない場合もある。さらに、充分な掲示スペースがある場合でも、掲示された情報を全て見るためには、歩き回らなければならないなどの不便さがある。
【０００５】
また、特許第２９０２５４１号による金利情報などの表示は、文字情報のみを表示しているため、視覚に訴えるビジュアルな絵画などの情報を表示することができない。さらに、各表示部ごとに伝えたい情報内容のコンテンツデータを配信しているため、最初に配信した表示部と最後に配信した表示部とでは表示時間にずれが生じてしまう。さらに、特開平１１−２３９１３４号公報の分散型メディア伝送システムは、ネットワークに接続されたユーザのうち特定のユーザのみに情報を送信する、いわゆるマルチキャストネットワークを介してメディアの伝送を行うものであり、不特定多数のユーザに通信するブロードキャストの通信ではない。
【０００６】
さらに、情報を表示させるための情報表示装置については、その情報表示装置の設置場所まで行って電源の立ち上げを行ったり、キーボードの入力操作などを行わなければならない。また、情報表示装置と汎用パソコン及びキーボードとが離れているために、これらを接続するための配線が必要になったり、さらには、広い設置スペースを必要としたりする。
【０００７】
本発明は、このような事情に鑑みてなされたものであり、その目的は、不特定多数のユーザに対して、複数のコンテンツデータのリアルタイムな表示や、情報内容の変更を随時行うことのできるようにすると共に、表示装置の設置場所から離れた所にいても表示操作を行うことができる情報表示システムを提供することにある。
【０００８】
(課題を解決するための手段)上記の課題を解決するために、本発明の情報表示システムは、サーバの発信したコンテンツデータが、広域網のネットワークを介して複数の表示手段に配信され、複数の表示手段の各々が、受信したコンテンツデータを表示させる情報表示システムにおいて、サーバは、複数の表示手段に対して、同一内容のコンテンツデータを同時に送信する同報通信によって配信し、複数の表示手段の各々は、受信したコンテンツデータをリアルタイムで表示させることを特徴とする。
【０００９】
すなわち、本発明の情報表示システムによれば、サーバから各支店の表示部に対して同報通信でコンテンツデータを配信するので、各支店が受信するコンテンツデータに遅れを生じることはない。さらに、各支店の表示部は、サーバから配信されたコンテンツデータをリアルタイムで表示することができる。このとき、コンテンツデータが複数あっても、これらのデータはそれぞれの表示部の記憶装置に格納され、各支店は１つの表示部だけを用いて、必要に応じて順次データを読み出し、所望のコンテンツデータを循環させて表示させることができる。これによって、表示稼働率がよくなり、表示のために余分なスペースが不要となる。さらに、コンテンツデータの配信時間を短縮することができるため、回線使用時間にかかる費用を大幅に削減することができる。
【００１０】
また、本発明の情報表示システムは、複数の表示手段の各々が、それぞれ、サーバに登録されているコンテンツデータをダウンロードして表示することを特徴とする。
【００１１】
すなわち、本発明の情報表示システムによれば、それぞれの表示手段は、従来の表示方法のような静止画の表示だけでなく、動画や音声などの情報もダウンロードして表示することができるので、広範囲に亘る情報を提供することができる。
【００１２】
また、本発明の情報表示システムは、サーバが配信するコンテンツデータが、情報内容を記録した表示データと、この表示データの表示順序を決めたスケジュールデータとによって構成され、複数の表示手段は、それぞれ、スケジュールデータに従って表示データを表示させることを特徴とする。
【００１３】
すなわち、本発明の情報表示システムによれば、スケジュールデータには表示順序が含まれているので、任意の一定時間毎に、表示順序に従った情報表示を行うことができる。
【００１４】
また、本発明の情報表示システムは、前記複数の表示手段は、それぞれ、スケジュールデータに従って、表示データの繰り返し表示及び表示データの変更表示を行うことを特徴とする。
【００１５】
すなわち、本発明の情報表示システムによれば、重要な情報や一般向けの情報などの表示データをスケジュールデータによって差別化しておくことにより、重要なデータを繰り返し表示することもできるし、重要でないデータを早い時間で変更することもできる。
【００１６】
また、本発明の情報表示システムは、複数の表示手段の各々が、リモコンからのデータを受信するリモコンデータ受信部と、リモコン受信部から受信したデータに基づいてキーボード制御を行うキーボード制御部と、キーボード制御部からのコマンドに基づいてパソコン機能を行うパソコンマザーボードと、パソコンマザーボードからの指令に基づいて、サーバから受信したコンテンツデータを表示する表示部とを備え、複数の表示手段の各々は、リモコンからのデータに基づいて、表示手段の電源のＯＮ／ＯＦＦ、及びサーバから受信したコンテンツデータの表示制御を行うことを特徴とする。
【００１７】
すなわち、本発明の情報表示システムによれば、パソコン機能を表示装置の内部に内蔵してリモコンで操作することにより、表示装置から離れた場所にいても、表示装置の電源のＯＮ／ＯＦＦ操作や各表示内容に対応するキー入力操作を行うことができる。これによって、小型且つ安価に情報表示システムを構築することができる。
【００１８】
また、本発明の情報表示装置は、広域網のネットワークを介して、サーバが同報通信で配信したコンテンツデータを、リアルタイムで表示する情報表示装置において、リモコンからのデータを受信するリモコンデータ受信部と、リモコン受信部から受信したデータに基づいてキーボード制御を行うキーボード制御部と、キーボード制御部からのコマンドに基づいてパソコン機能を行うパソコンマザーボードと、パソコンマザーボードからの指令に基づいて、サーバから受信したコンテンツデータを表示する表示部とを備え、リモコンからのデータに基づいて、キーボード制御部が、パソコンマザーボードの電源と表示部の電源のＯＮ／ＯＦＦ制御、及び前記サーバから受信したコンテンツデータの表示制御を行うことを特徴とする。
【００１９】
すなわち、本発明の情報表示装置は、パソコン機能を備えたパソコンマザーボードと、キーボードコントローラを内蔵したキーボード制御部と、リモコンデータ受光部と、コンテンツデータを表示する表示部とが一体化されている。これによって、リモコンによってキー入力されたコードは、リモコンデータ受光部を介してキーボード制御部内のキーボードコントローラへ送られる。そして、それぞれのコードより該当する操作が選択されて、電源の供給や遮断、パソコンマザーボードの起動や停止、及びパソコンマザーボードへのキー入力などを行うことができる。これによって、情報表示装置全体を小型化することができ、設置スペースの低減化を図ることができる。
【００２０】
また、本発明の情報表示装置は、前記キーボード制御部が、パソコンマザーボードのパソコン機能を任意の期間毎に監視し、キーボード制御部がパソコン機能の異常を判定したときは、パソコンマザーボードの電源を一旦ＯＦＦにして、再度ＯＮにするリセット制御を行うことを特徴とする。
【００２１】
すなわち、本発明の情報表示装置によれば、パソコンマザーボードからキーボード制御部へ定期的なポーリングを行うことによって、パソコン機能を常時監視している。そして、表示機能がハングアップ状態になったときには、パソコンマザーボードの電源を一旦ＯＦＦにして再立ち上げを行うことにより、ハングアップ状態を回避したり、表示装置の現在の状態をクリアすることができる。
【００２２】
また、本発明の情報表示装置は、表示部がプラズマディスプレイによる表示機能を備えていることを特徴とする。
【００２３】
すなわち、本発明によれば、プラズマディスプレイによって表示させることにより、表示装置を薄型化することができると共に、省電力化を図った情報表示装置を実現することができる。
【００２４】
(発明の実施の形態)以下、図面を用いて、本発明における情報表示システムの実施の形態を詳細に説明する。この情報表示システムは、地理的に離れたコンピュータシステムを相互接続する通信システムである広域網（ＷＡＮ：Wide Area Network）を介して、サーバと複数の表示部とが接続されている。そして、サーバが、商品広告や案内やニュース報道や教育情報といったコンテンツデータを同報通信で配信し、これを各表示部に表示させる。このようにして、本発明の情報表示システムは、不特定多数の人間に対して効果的に情報表示を行うことができる。すなわち、本発明の情報表示システムによれば、コンテンツデータ、すなわち、音声や動画や静止画や文字情報などの、いわゆる通常のマルチメディアデータを、リアルタイムで配信して表示させることができる。
【００２５】
図1は、本発明の実施の形態に適用される情報表示システムの構成図である。同図において、この情報表示システムは、入力装置１及びサーバ２が、広域網（ＷＡＮ）３によって、支店４に設けられた表示部５と接続されている。また、表示部５は、表示装置５ａとこの表示装置５ａを制御する表示制御装置５ｂとによって構成されている。尚、支店４には複数の表示部５があり、さらに、支店４は、通常は、複数の支店によって構成されているので、広域網３には複数の表示部５が接続されている。
【００２６】
入力装置１は、伝達すべきコンテンツデータ、例えば、音声や動画や静止画や文字情報などといったマルチメディアデータを作成したり編集したりする装置であり、また、サーバ２は、コンテンツデータ及び表示スケジュールの管理や各表示部５へのデータの配信を行う装置であり、支店４に対する本部として位置付けられている。尚、入力装置１とサーバ２は一体的に構成することも可能である。さらに、表示部５は、サーバ２から受信したコンテンツデータの表示を行う装置であるが、通常は、プラズマディスプレイ（ＰＤ）や市販のテレビなどが用いられている。
【００２７】
図２は、図１に示す情報表示システムにおけるデータ配信の流れを示す構成図である。同図は、本部としてのサーバ２と、複数の支店であるＡ支店４ａ、Ｂ支店４ｂ…Ｎ支店４ｎが広域網３によって接続され、サーバ２が送信したコンテンツデータがＡ支店４ａから順次各支店に配信されて、配信結果が最後のＮ支店４ｎからサーバ２に戻ってくる状態を示している。
【００２８】
図３は、図２のデータ配信構成図におけるコンテンツデータの配信の流れを示すフローチャートである。したがって、図２のデータ配信構成図と、図３のフローチャートとを用いてコンテンツデータの配信の流れを説明する。先ず、入力装置１によって、伝達すべき個々のコンテンツデータを作成する。このコンテンツデータは、音声や動画や静止画や文字情報などの、一般的なマルチメディアデータであればどんなデータでもよい。尚、コンテンツデータを変更する場合も、同様の手順で、入力装置１から変更データを入力すればよい（ステップＳ１、以下ステップは省略）。
【００２９】
次に、サーバ２からＡ支店４ａの表示部にＩＳＤＮ回線のＢ１チャネルを接続し、サーバ２が、入力装置１から受信したコンテンツデータをＢ１チャネルでＡ支店４ａに配信する。尚、このとき、コンテンツデータは一括でなく分割して配信してもよい（Ｓ２）。すると、Ａ支店４ａの表示部はＢ１チャネルで受信したコンテンツデータを表示し（Ｓ３）、さらに、このコンテンツデータをＢ２チャネルでＢ支店に配信する（Ｓ４）。尚、このとき、Ａ支店４ａは、必要に応じて、受信したコンテンツデータを自己の記憶装置内に取り込んで、スケジュール表示することも可能である。
【００３０】
次に、Ｂ支店４ｂは、Ａ支店４ａからＢ２チャネルで配信されたコンテンツデータをＢ１チャネルで受信し、このコンテンツデータを自己の表示部に表示する（Ｓ５）。さらに、Ｂ支店４ｂは、このコンテンツデータをＢ２チャネルで次の支店に配信する（Ｓ６）。尚、以下の配信において、各支店は、必要に応じて、受信したコンテンツデータを自己の記憶装置内に取り込み、スケジュール表示することができる。
【００３１】
このようにして、ＢＩチャネルによって、コンテンツデータが最後の配信支店であるＮ支店４ｎまで配信され、このコンテンツデータを自己の表示部に表示すると（Ｓ７）、Ｎ支店４ｎは、本部であるサーバ２へ配信終了データをＢ２チャネルで送信する（Ｓ８）。すると、サーバ２は、配信終了データを受信した時点で配信を終了させる（Ｓ９）。これによって、サーバ２から各支店に対してリアルタイムでコンテンツデータを配信することができる。
【００３２】
図４は、コンテンツデータを各表示部にリアルタイム表示するための処理の流れを示すフローチャートである。すなわち、配信されたコンテンツデータをリアルタイムで表示するためには、先ず、サーバ２に対して“ＷＷＷサーバ”機能を追加する。すなわち、ＨＴＭＬ形式で記述された音声や静止画や動画や文字情報などの情報を、ＷＷＷ（World Wide Web）によって送信できる機能をサーバ２に持たせる（Ｓ１１）。
【００３３】
次に、サーバ２は、セキュリティを確保するために、予め、アクセスできる支店を識別するためのＩＰ（Internet Protocol ）アドレスを登録しておく（Ｓ１２）。さらに、サーバ２は、例えばビデオやカメラなどを用いて、Ｗｅｂページ上に動画などのリアルデータを表示させる（Ｓ１３）。次に、各支店の表示部がサーバ２のＷｅｂページに対してアクセスを行う（Ｓ１４）。さらに、各支店の表示部は、サーバ２のＷｅｂページ上で表示されている動画などのコンテンツデータを、ストリーミング方式を用いて、ファイルとして格納することなく、リアルタイムで表示を行う（Ｓ１５）。尚、ストリーミング方式とは、大量のデータを磁気テープなどに記録して、データの受け渡しを行う方式である。
【００３４】
このようにして、各支店４ａ、４ｂ…４ｎの表示部は、サーバ２から配信されたコンテンツデータをリアルタイムで表示することができる。また、コンテンツデータが複数あっても、これらのコンテンツデータはそれぞれの表示部の記憶装置内に格納されている為、記憶装置から順次読み出して表示することができる。このように、本発明の情報表示システムによれば、１つの表示部だけを用いて、順次、コンテンツデータを循環させて表示することができる。すなわち、１つの表示部で複数の情報を表示させることができるので、表示稼働率がよくなり、表示のために余分なスペースが不要となる。また、従来の表示方法のような静止画の表示だけでなく、動画や音声なども表示部に出力することができるので、広範囲に亘って情報提供を行うことができる。
【００３５】
また、本発明の情報表示システムは、リアルタイムで表示を行うため、従来の表示方法に比べて、コンテンツデータの配信時間を短縮することができるため、回線使用時間にかかる費用を大幅に削減することができる。さらに、従来の情報表示システムでは、動画のデータ量が多い場合は、ビデオテープでの配布を行っていたが、本発明の情報表示システムによれば、これらのデータをリアルタイムで配信することができるので、従来のような物理的な配布を行う必要がなくなる。したがって、ビデオテープの作成にかかる費用を削減することができ、その費用は、原本の作成費だけで済むことになる。さらに、リアルタイムでの表示が行えるため、遠隔地域の監視装置としても利用することができる。
【００３６】
次に、本発明の情報表示システムと、従来の情報表示システムとによるデータ配信時間の相違を比較してみる。一例として、サーバ２が配信するコンテンツデータ量を10MBとし、１回の送信量を5Kbite/sec、支店の数を１０店舗とする。先ず、従来技術による情報表示システムでデータ配信を行った場合の配信所要時間を求める。１支店当りの配信所要時間は、10MB÷5Kbite/sec＝2000sec＝33.3min総配信時間は、33.3min×10支店＝333min＝5.5ｈ
【００３７】
次に、本発明の情報表示システムで同報配信を行った場合の、配信所要時間を求める。１支店当りの配信所要時間は、10MB÷5Kbite/sec＝2000sec＝33.3minコンテンツデータの分割単位を50Kbiteとした場合、１回の配信時間は、50Kbite÷5Kbite/sec＝10secとなる。総配信時間＝（ｎ＋１）×分割した時の1回の配信時間＋１支店当りの配信時間（但し、ｎは支店の総数）であるから、総配信時間＝(10＋１)×10sec＋2000sec＝2110sec＝35.2min＝0.58ｈとなる。したがって、従来の配信時間と本発明による配信時間とを比較した場合、5.5ｈ：0.58ｈ＝10：１ すなわち、本発明の情報表示システムにより、コンテンツデータの配信時間を約１／１０に短縮することができる。
【００３８】
ところで、図１に示す情報表示システムにおいて、各支店４における表示部５は、表示制御装置５ｂによって表示装置５ａを制御することによりコンテンツデータの表示を行っている。このような表示装置５ａは、通常、プラズマディスプレイパネル（ＰＤＰ）が用いられている。このような表示装置を、以降、ＰＤＰ表示装置という。
【００３９】
図８は、従来の情報表示システムに用いられているＰＤＰ表示装置の構成図の一例である。すなわち、同図に示すように、従来のＰＤＰ表示装置は、汎用のＰＤＰ２１に対して、外付けの汎用パソコン（以下、汎用ＰＣという）２２及びキーボード２３やマウス１４が接続されている。また、ＰＤＰ２１は、プラズマディスプレイ（ＰＤ）２１ａと、このＰＤ２１ａを制御するＰＤ制御基板２１ｂと、２つのコンセント２５，２６とによって構成されている。
【００４０】
このＰＤＰ表示装置の操作にあたっては、キーボード２３やマウス２４によってコマンドを入力して、汎用ＰＣ２２を制御することにより、ＰＤ２１ａに音声や動画や静止画や文字情報などのコンテンツ情報を表示させている。このとき、汎用ＰＣ２２の起動立ち上げの際には、汎用ＰＣ２２の本体の電源スイッチを手動でＯＮしてから、キーボード２３でコマンドを入力してＯＳモードを起動している。このような操作の場合、当然、ＰＤＰ表示装置の設置場所まで行き、電源スイッチの操作やキーボード２３の操作を行って、電源起動やＰＤＰ表示装置の立ち上げをしなければならない。
【００４１】
このように、従来のＰＤＰ表示装置は、汎用ＰＣ２２やＰＤＰ２１などを個別に設置するスペースを確保する必要があり、さらに、汎用ＰＣ２２とＰＤＰ２１との間のケーブルを敷設したり、少なくとも２個の電源コンセントを用意する必要がある。また、有線によってキーボード２３を操作するため、遠隔での操作を行うことができないので、汎用ＰＣ２２とＰＤＰ２１が離れた場所に設置されているような場合は操作が不可能となる。さらに、電源のＯＮ／ＯＦＦには、汎用ＰＣ２２とＰＤＰ２１とで別々の操作をしなければならない。尚、汎用ＰＣ２２とＰＤＰ２１を一体化することもできるが、物理的に一体化すると装置全体が大型化してしまったり、コストアップするなどの不具合がある。
【００４２】
そこで、本発明では、電源のＯＮ／ＯＦＦ制御やキーボードによる表示制御を遠隔操作によって行うことができ、且つ装置全体を小型化することのできるＰＤＰ表示装置を提供する。図５は、本発明の情報表示システムに用いられているＰＤＰ表示装置の構成図である。同図において、本発明のＰＤＰ表示装置は、ＰＤＰ１１をリモコン１２によって制御できるように構成されている。ＰＤＰ１１は、制御基板１３と汎用ＰＣマザーボード１４とＰＤ１５とＰＣ用電源部１６とＰＤ用電源部１７とリモコン受光部１８と電源コンセント１９とによって構成されている。制御基板１３は、ＰＣ用電源部１６やＰＤ用電源部１７の電源制御及び汎用ＰＣマザーボード１４のキーボード制御を行うＣＰＵ部１３ｂと、リモコン受光部１８からの信号を受信し、信号を弁別して制御を行うリモコン制御部１３ａとを備えている。
【００４３】
次に、制御基板１３が行うＰＤ表示制御について説明するが、先ず、ＰＣ用電源部１６とＰＤ用電源部１７を手動によってＯＮ／ＯＦＦ操作する場合について述べる。リモコン１２により任意のキー入力があると、この信号をリモコン受光部１８を経由してリモコン制御部１３ａが受信し、そのキー信号を特定コードに変換する。さらに、変換された特定コードはＣＰＵ部１３ｂによって解析され、ＰＣ用電源部１６のＯＮ／ＯＦＦポートをアクセスしてＰＣ用電源のＯＮ／ＯＦＦを行う。同様にして、リモコン１２により任意のキー入力を行うと、この信号を、リモコン受光部１８を経由してリモコン制御部１３ａが受信し、そのキー信号を特定コードに変換する。そして、変換された特定コードはＣＰＵ部１３ｂによって解析され、ＰＤ用電源部１７のＯＮ／ＯＦＦポートをアクセスしてＰＤ用電源のＯＮ／ＯＦＦ制御を行う。
【００４４】
次に、ＰＣ用電源部１６とＰＤ用電源部１７を自動によってＯＮ／ＯＦＦ操作する場合について述べる。ＰＤＰ１１には図示しない計時手段が備えられ、設定された時刻になると、汎用ＰＣマザーボード１４が、シリアルインターフェースを介して、制御基板１３に対してＰＣ用電源部１６及びＰＤ用電源部１７のＯＮ／ＯＦＦコマンドを送信する。すると、制御基板１３は、シリアルインターフェースより送られて来たコマンドを受信して、このコマンドをＣＰＵ１３ｂで解析し、ＰＣ用電源部１６及びＰＤ用電源部１７のＯＮ／ＯＦＦポートをアクセスして、ＰＣ用電源及びＰＤ用電源のＯＮ／ＯＦＦ制御を行う。
【００４５】
次に、汎用ＰＣマザーボード１４が制御不能なハングアップ状態になったときの処理について説明する。汎用ＰＣマザーボード１４より、図示しないプリンタインターフェースに対して定期的な定期信号が送信され、この定期信号は制御基板１３で検出されている。制御基板１３は、定期信号が検出されないと汎用ＰＣマザーボード１４がハングアップ状態にあると判断する。そして、制御基板１３がハングアップ状態を判断すると、ＰＣ用電源部１６のＯＮ／ＯＦＦポートをアクセスして、ＰＣ用電源をＯＮからＯＦＦにして、再び、ＰＣ用電源の再立ち上げを行う。
【００４６】
尚、ＰＣ用電源の供給方法は、例えば、電源コンセント１９からＡＣ１００を入力して、図示しない汎用のスイッチング電源によって特定の電圧を生成し、この特定電圧を制御基板１３へ供給する。さらに、制御基板１３は、この特定電圧を汎用ＰＣマザーボード１４が必要とする電圧に変換して、汎用ＰＣマザーボード１４に供給する。
【００４７】
図６は、図５における制御基板と汎用ＰＣマザーボードとの監視タイミングのフローチャートである。すなわち、汎用ＰＣマザーボード１４と制御基板１３の監視装置（図示せず）との間で、図６に示すようなポーリング動作を行い監視制御を行っている。先ず、監視装置の電源立ち上げを行ってから、汎用ＰＣマザーボード１４（以下、表示制御ＰＣという）へのＡＣ電源供給を開始する（Ｓ２１）。すると、表示制御ＰＣが起動され、監視タイマーが例えば５分にセットされてタイマーが起動し、監視装置による監視が開始される（Ｓ２２）。そして、表示制御ＰＣから監視装置に対して定期的に、例えば１０ｓｅｃ毎に、『スケジュール・ＩＥ・ＴＶチューナ・ビデオキャプチャ・購読』のメッセージをポーリングして、正常に動作しているか否かの確認が行なわれる（Ｓ２３）。
【００４８】
このとき、監視装置は、ポーリングが途絶えて監視タイマーがタイムアップしたときは、表示制御ＰＣへのＡＣ電源の供給をＯＦＦからＯＮにして、表示制御ＰＣを再起動させる。そして、表示制御ＰＣがリブートを開始して監視タイマーを１０分にセットする（Ｓ２４）。すなわち、リブートはシステムを再起動するために処理時間が長くなるため、一般に監視時間を長くする。さらに、再び表示制御ＰＣが起動したら監視タイマーを５分にセットして監視を開始する（Ｓ２５）。このような処理手順で監視を行い、所定のプログラムが終了したら、表示制御ＰＣは監視装置に監視終了を知らせ（Ｓ２６）、監視を終了する。
【００４９】
次に、図５に戻って、リモコン１２を用いたキーボード代替操作について説明する。リモコン１２によって任意のキー入力を行うと、このキー信号はリモコン受光部１８を経てリモコン制御部１３ａで受信され、そのキー信号に対応した特定コードに変換される。さらに、特定コードは、ＣＰＵ部１３ｂによって解析されてキーボードコードに再変換される。そして、このキーボードコードがインターフェースを介して汎用ＰＣマザーボード１４に送信され、汎用ＰＣマザーボード１４がキーボードコードに対応した処理を行う。
【００５０】
図７は、本発明のＰＤＰ表示装置に用いられるリモコンの構成図の一例であり、大きさや構成については家庭用のリモコンと殆ど同じである。すなわち、このリモコン１２の操作釦は、電源のＯＮ／ＯＦＦを行う「電源」釦１２ａ、画面のノーマル／ワイドの切り替えを行う「ワイド」釦１２ｂ、ＲＧＢ／ＶＩＤＥＯの入力切り替えを行う「モード」釦１２ｃ、ボリュームの調整を行う「＋、−」釦１２ｄ、機能設定を行う「設定」釦１２ｅ、映像調整設定を行う「映像」釦１２ｆ、画面調節設定を行う「画面」釦１２ｇ、調整画面の終了を行う「終了」釦１２ｈ、各調節設定を行う「＜、＞」釦１２ｉ、「終了」釦１２ｈと共に操作してＰＣシャットダウンを行ったり、「＜」釦１２ｉと共に操作してコンテンツ切り替えモードへ移行させるための「シフト」釦１２ｊ、前のコンテンツを表示させる「ＢＡＣＫ」釦１２ｋ、後のコンテンツを表示させる「ＮＥＸＴ」釦１２ｌ、保守画面用の「※１」釦１２ｍ及び「※２」釦１２ｎなどによって構成されている。
【００５１】
すなわち、図５に示すような本発明のＰＤＰ表示装置によれば、汎用ＰＣマザーボード１４と、キーボードコントローラを内蔵した制御基板１３と、リモコン受光部１８とをＰＤＰ１１に内蔵している。これによって、リモコン１２によってキー入力されたコードは、リモコン受光部１８を介して制御基板１３内のキーボードコントローラへ送られる。そして、それぞれのコードより該当する操作が選択されて、ＰＣ用電源部１６やＰＤ用電源部１７のＡＣ電源の供給や遮断、汎用ＰＣマザー−ボード１４の起動や停止、及び汎用ＰＣマザーボード１４へのキー入力などが行なわれる。
【００５２】
このように、本発明のＰＤＰ表示装置によれば、リモコンによる遠隔操作でＰＣのキーボード操作や電源のＯＮ／ＯＦＦ操作を行うことができ、さらに、ＰＣハングアップ時の自動復帰を行うことができるので、信頼性の向上を図ることができる。また、汎用ＰＣマザーボード１４を内蔵することによって、ＰＤＰ表示装置の設置スペースの低減化を図ることができ、さらに、スイッチング電源を使用することにより、ＰＤＰ表示装置の薄型化を図ることができ、且つ、ＰＣとＰＤＰ表示装置間のケーブルが不要になり、電源コンセントも従来の２個から１個に低減することができる。
【００５３】
さて、図２に戻って、上述のようなＰＤＰ表示装置は各支店４ａ、４ｂ…４ｎ毎に複数台ずつ配置されている。先ず、センターとなる本部２の入力装置１が、普通のパソコンなどを用いてデータの入力作成を行う。尚、入力するデータには、表示データとスケジュールデータとがあり、スケジュールデータにしたがって表示データが表示されるようにスケジュールされている。また、入力装置１でデータを作成するパソコンは、本部となるサーバ２を介して、公衆網３の任意の回線に接続されている。この回線には公衆回線や特定回線などがあるが、インターネット接続またはイントラネット接続などによってＬＡＮ接続の構成になっている。尚、サーバは支店側にあってもよい。
【００５４】
スケジュールされた配信データは、通常、１日１回、本部２より各支店４ａ、４ｂ…４ｎに配信される。また、配信データは支店毎に異なるデータとすることもできる。例えば、支店特有の情報や支店に係わる地域情報などを、本部２側で数種類用意して、必要に応じて各支店へ配信することもできる。尚、通常の表示データは、金利情報やニュース情報などであり、これらのデータは、図５における制御装置１３または汎用ＰＣマザーボード１４のメモリ（図示せず）に格納して、必要に応じて表示することもできる。
【００５５】
また、リモコン１２の操作によって、２つの電源のＯＮ／ＯＦＦ、すなわち、ＰＤ１５の電源のＯＮ／ＯＦＦと汎用ＰＣマザーボード１４の電源のＯＮ／ＯＦＦを指示することができる。さらに、ＰＤ１５の電源はＯＮ／ＯＦＦするが、制御基板１３の電源は常時ＯＮ状態にあり、汎用ＰＣマザーボード１４は制御基板１３からの指令により電源のＯＮ／ＯＦＦが行なわれる。また、リモコン１２の操作については、スケジュールに従ったデータの表示の最中に、別のデータを表示させることを指示することができる。例えば、別の時間帯に表示されるべきデータを表示させたり、表示データのページの組み替えなど、いわゆる画面切り替えができる。
【００５６】
以上述べた実施の形態は本発明を説明するための一例であり、本発明は上記の実施の形態に限定されるものではなく、発明の要旨の範囲で種々の変形が可能である。例えば、各支店毎の特有情報や地域情報などの別のデータを、リモコンより入力してデータとして表示させることもできる。
(発明の効果)
【００５７】
以上説明したように、本発明の情報表示システムによれば、１つの表示部だけでコンテンツデータを循環させて表示することができ、且つリアルタイムで表示を行うことができるので、コンテンツデータの配信時間を短縮することができ、もって、回線使用料金を大幅に削減することができる。さらに、このように表示稼働率がよくなるため、表示のために余分なスペースが不要となり表示装置全体を小型化することができ、結果的にコスト低減を図ることができる。また、従来の表示方法のような静止画の表示だけでなく、動画や音声なども表示部に出力することができるので、広範囲に亘る情報提供を行うことができる。
【００５８】
さらに、本発明の情報表示システムに用いる情報表示装置は、装置用電源の立ち上げや立ち下げの際に、汎用ＰＣの設置場所まで行かないで、情報表示装置から離れた場所にいても、電源のＯＮ／ＯＦＦ操作や各表示内容に対応してキー入力操作を行うことができる。また、汎用ＰＣ機能をＰＤＰ内部に内蔵することにより、小型且つ安価な情報表示装置を実現することができる。さらに、ＰＤＰと汎用ＰＣの間の接続ケーブルも不要となり、情報表示装置の設置スペースも小さくすることができる。従って、本発明の表示装置を情報表示システムに実装することによって、極めて使い勝手のよい情報表示システムを実現することができる。
【図面の簡単な説明】
【００５９】
【図１】本発明の実施の形態に適用される情報表示システムの構成図である。
【図２】図１に示す情報表示システムにおけるデータ配信の流れを示す構成図である。
【図３】図２のデータ配信構成図におけるコンテンツデータの配信の流れを示すフローチャートである。
【図４】コンテンツデータを各表示部にリアルタイムで表示するための処理の流れを示すフローチャートである。
【図５】本発明の情報表示システムに用いられているＰＤＰ表示装置の構成図である。
【図６】図５における制御基板と汎用ＰＣマザーボードとの監視タイミングのフローチャートである。
【図７】本発明のＰＤＰ表示装置に用いられるリモコンの構成図の一例である。
【図８】従来の情報表示システムに用いられているＰＤＰ表示装置の構成図の一例である。
【符号の説明】
【００６０】
１ 入力装置
２ サーバ（本部）
３ 広域網（ＷＡＮ）
４ 支店
４ａ Ａ支店
４ｂ Ｂ支店
４ｎ Ｎ支店
５ 表示部
５ａ 表示装置
５ｂ 表示制御装置
１１、２１ ＰＤＰ（プラズマディスプレイパネル）
１２ リモコン
１３ 制御基板
１３ａ リモコン制御部
１３ｂ ＣＰＵ部
１４ 汎用ＰＣマザーボード
１５、２１ａ ＰＤ（プラズマディスプレイ）
１６ ＰＣ用電源部
１７ ＰＤ用電源部
１８ リモコン受光部
１９、２５、２６ 電源コンセント
２１ｂ ＰＤ制御基板
２２ 汎用ＰＣ
２３ キーボード
２４ マウス
【図１】
2008004119.tif 000003
【図２】
2008004119.tif 000004
【図３】
2008004119.tif 000005
【図４】
2008004119.tif 000006
【図５】
2008004119.tif 000007
【図６】
2008004119.tif 000008
【図７】
2008004119.tif 000009
【図８】
2008004119.tif 000010